(57)【特許請求の範囲】
【請求項１】
アドレス情報又は頭出し情報を有していない複数の主情報ブロックが相互間に時間間隔を有して配置されている記録入力信号が供給された時に、前記複数の主情報ブロックを記録媒体に記録すると共に前記複数の主情報ブロックのアドレス情報又は頭出し情報を作成して前記記録媒体に記録するための装置であって、
前記複数の情報ブロックの相互間の時間位置を示す情報を予め記憶するメモリ手段と、
前記複数の情報ブロックの相互間を検知するために、前記記録入力信号のレベルが所定レベルよりも低い状態で所定時間以上継続しているか否かを判定するレベル判定手段と、
前記メモリ手段の前記相互間の時間位置を示す情報に基づいて、前記レベル判定手段による有効な判定を実行するための有効期間を前記時間間隔の少なくとも一部を含むように設定するための有効期間設定手段と、
前記有効期間に、前記記録入力信号が前記所定レベルよりも低い状態で前記所定時間以上継続していることを示す判定結果が前記レベル判定手段から得られた時に、前記アドレス情報又は頭出し情報を作成し、これを前記記録媒体に記録する手段と
を有し、且つ前記有効期間設定手段は、１つの情報ブロックの全時間長の７５％の時間の経過時点から１００％の時間の経過時点までの範囲内に前記有効期間の開始時点が位置し、次の情報ブロックの開始時点から次の曲の全時間長の２５％の時間経過時点までの範囲内に前記有効期間の終了時点が位置するように前記有効期間を設定するものであることを特徴とする情報記録装置。
【請求項２】
アドレス情報又は頭出し情報を有していない複数の主情報ブロックが相互間に時間間隔を有して配置されている記録入力信号が供給された時に、前記複数の主情報ブロックを記録媒体に記録すると共に前記複数の主情報ブロックのアドレス情報又は頭出し情報を作成して前記記録媒体に記録するための装置であって、
前記複数の情報ブロックの相互間の時間位置を示す情報を予め記憶するメモリ手段と、
前記複数の情報ブロックの相互間を検知するために、前記記録入力信号のレベルが所定レベルよりも低い状態で所定時間以上継続しているか否かを判定するレベル判定手段と、
前記メモリ手段の前記相互間の時間位置を示す情報に基づいて、前記レベル判定手段による有効な判定を実行するための有効期間を前記時間間隔の少なくとも一部を含むように設定するための有効期間設定手段と、
前記有効期間に、前記記録入力信号が前記所定レベルよりも低い状態で前記所定時間以上継続していることを示す判定結果が前記レベル判定手段から得られた時に、前記アドレス情報又は頭出し情報を作成し、これを前記記録媒体に記録する手段と、
前記有効期間内に、前記記録入力信号が前記所定レベルよりも低い状態で前記所定時間以上継続していることを示す判定結果が得られなかった時に、前記有効期間の終了に同期して前記アドレス情報又は頭出し情報を作成し、これを前記記録媒体に記録する手段と
を有していることを特徴とする情報記録装置。
【請求項３】
前記複数の主情報ブロックはアナログ信号であり、更に、アナログ信号をディジタル信号に変換するアナログ・ディジタル変換器と、前記ディジタル信号をサブコード領域とデータ領域とを有する複数のフレームの前記データ領域に配置し、前記アドレス情報又は頭出し情報を前記サブコード領域に配置して記録信号を作成する手段を有することを特徴とする請求項１又は２記載の情報記録装置。
【請求項４】
前記複数の主情報ブロックは複数の曲のオーディオ信号であり、前記アドレス情報又は頭出し情報は曲番号であることを特徴とする請求項１又は２記載の情報記録装置。
【発明の詳細な説明】
【０００１】
【発明の属する技術分野】
本発明は、アナログ信号のソース又はアナログ信号に対応するディジタル信号のソースから供給される複数の曲をアドレス又は頭出し情報を伴なって記録するのに最適な情報記録装置に関する。
【０００２】
【従来の技術】
ＣＤ−Ｒ（記録可能なコンパクトディスク）等の追記型光ディスクに対して複数の曲を記録することは既に行われている。
ところで、曲のソースがトラック番号（曲番号）等のアドレスを伴なったディジタル信号の場合には、記録媒体（例えばＣＤ−Ｒ）に対して曲と共にトラック番号を容易に記録することができる。しかし、アナログレコード又はアナログテープ等のアドレスを伴なっていないアナログ信号から成る複数の曲をＣＤ−Ｒに連続的に記録する時には、何らかの方法で曲間即ち頭出しポイントを検知しなければならない。曲間検知の方法としては、手動で行う方法と自動で行う方法とがある。手動で行う場合には、ユーザがソースから記録機に供給されている信号における曲の終り又は曲間をモニタ音又はレベルメータで判断し、トラック番号をインクリメントする。しかし、この手動の方法は、手間及び正確性の点で満足できるものではない。自動で曲間検出を行う方法は、記録機に入力するオーディオ信号のレベルを判定する回路を設け、オーディオ信号のレベルが所定時間以上継続して一定レベル以下であることが検出されたら、曲間であると判定し、トラック番号をインクリメントする。
【０００３】
【発明が解決しようとする課題】
ところで、曲間即ち頭出しポイントの自動検出において、録音する楽曲内に音声信号レベルが判定レベルより低くなる期間が判定期間より長くなるような場所があると、楽曲内であるにもかかわらず、曲間であると認識してしまう誤動作があった。
【０００４】
そこで、本発明の目的は、曲等の情報ブロックの相互間を正確に検知することができる装置を提供することにある。
【０００５】
【課題を解決するための手段】
上記課題を解決し、上記目的を達成するための本発明は、アドレス情報又は頭出し情報を有していない複数の主情報ブロックが相互間に時間間隔を有して配置されている記録入力信号が供給された時に、前記複数の主情報ブロックを記録媒体に記録すると共に前記複数の主情報ブロックのアドレス情報又は頭出し情報を作成して前記記録媒体に記録するための装置であって、前記複数の情報ブロックの相互間の時間位置を示す情報を予め記憶するメモリ手段と、前記複数の情報ブロックの相互間を検知するために、前記記録入力信号のレベルが所定レベルよりも低い状態で所定時間以上継続しているか否かを判定するレベル判定手段と、前記メモリ手段の前記相互間の時間位置を示す情報に基づいて、前記レベル判定手段による有効な判定を実行するための有効期間を前記時間間隔の少なくとも一部を含むように設定するための有効期間設定手段と、前記有効期間に、前記記録入力信号が前記所定レベルよりも低い状態で前記所定時間以上継続していることを示す判定結果が前記レベル判定手段から得られた時に、前記アドレス情報又は頭出し情報を作成し、これを前記記録媒体に記録する手段とを有し、且つ前記有効期間設定手段は、１つの情報ブロックの全時間長の７５％の時間の経過時点から１００％の時間の経過時点までの範囲内に前記有効期間の開始時点が位置し、次の情報ブロックの開始時点から次の曲の全時間長の２５％の時間経過時点までの範囲内に前記有効期間の終了時点が位置するように前記有効期間を設定するものであることを特徴とする情報記録装置に係わるものである。
【０００６】
なお、請求項２に示すように、前記有効期間内に、前記記録入力信号が前記所定レベルよりも低い状態で前記所定時間以上継続していることを示す判定結果が得られなかった時に、前記有効期間の終了に同期して前記アドレス情報又は頭出し情報を作成し、これを前記記録媒体に記録する手段を有していることが望ましい。
また、請求項３に示すように、前記複数の主情報ブロックはアナログ信号であり、更に、アナログ信号をディジタル信号に変換するアナログ・ディジタル変換器と、前記ディジタル信号をサブコード領域とデータ領域とを有する複数のフレームの前記データ領域に配置し、前記アドレス情報又は頭出し情報を前記サブコード領域に配置して記録信号を作成する手段を有することが望ましい。
また、請求項４に示すように、前記複数の主情報ブロックは複数の曲のオーディオ信号であり、前記アドレス情報又は頭出し情報は曲番号であることが望ましい。
【０００７】
【発明の効果】
各請求項の発明によれば、記録入力信号のレベル判定が、特定された有効期間においてのみ有効になる。従って、有効期間以外で入力信号のレベルが低下しても、アドレス情報又は頭出し情報が誤って発生しない。このため、アドレス情報又は頭出し情報の正確な記録が可能になる。
また、請求項１に示すように、有効期間を特定することにより、アドレス情報又は頭出し情報の検出の信頼性が高くなる。
また、請求項２の発明によれば、レベル判定による情報ブロックの相互間の検出が不可能な場合であってもアドレス情報又は頭出し情報を記録することが可能になる。
【０００８】
【実施形態】
次に、図１〜図８を参照して本発明の実施形態に従うディジタル記録再生システムを説明する。
【０００９】
【第１の実施形態】
図１に示す第１の実施形態のディジタル記録再生システムは、ＣＤ−Ｒ／ＲＷ構成の記録再生機１と、制御手段としてのコントローラ２と、操作装置３と、表示器４と、アナログ信号源５とから成る。
【００１０】
記録再生機１は、アナログ信号入力端子６と、ディジタル信号入力端子７と、アナログ信号出力端子８と、ディジタル信号出力端子９と、信号レベル出力端子１０と、記録開始指令入力端子１１と、記録停止指令入力端子１２と、頭出しデータ入力端子１３とを有する。図１ではアナログ入力端子４にはアナログレコードプレーヤから成るアナログ信号源５が接続されている。記録再生機１は、一般にＣＤ−Ｒ／ＲＷ録音機と呼ばれるものであって、外部から入力したアナログ信号を副情報（サブコード情報）を伴なってリアルタイムにディスク状記録媒体に対して記録することができるものであり、図２に概略的に示すように構成されている。
【００１１】
図２に示す周知のＣＤ−Ｒから成る記録媒体ディスク２０は、周知のアドレス情報としてのウォブル即ち蛇行を伴なってグルーブ即ち案内溝が予め形成されたものである。グルーブは周知のようにスパイラル状トラック形態に形成されている。このディスク２０には、記録時にはデータに対応するように記録ビームがディスク２０に断続的に投射され、光学的に読み取りが可能なピットが形成される。記録ビームの断続の相互間にはグルーブを読み取るための再生パワーのビームがディスクに投射され、トラッキング情報及びアドレス情報が得られる。
【００１２】
このディスク記録再生機１は、大別してディスク回転装置２１、光学ヘッド２２、送り装置２３、コントローラ２４、アナログ・ディジタル変換器即ちＡＤＣ２５、記録回路２６、再生回路２７、及びディジタル・アナログ変換器即ちＡＤＣ２８を有する。
【００１３】
ディスク２０はディスク回転装置２１に変換可能に装着される。ディスク回転装置２１は、ＣＤ（コンパクトディスク）及びＣＤ−Ｒの標準回転速度（１倍速）は勿論のこと、これよりも高い回転速度でディスク２０を回転させる。
【００１４】
光学式信号変換器としての光学ヘッド２２は一般に光学ピックアップと呼ばれている周知のものであり、光ビームをディスク２０に投射して信号の記録再生を実行する。レーザ光源から放射される光ビームのパワーは周知のように記録モードと再生モードで切り換えられる。光学ヘッド２２はヘッド送り装置２３によってディスク２０の半径方向に送られる。
【００１５】
アナログ信号入力端子６にはアナログ信号源５が接続されている。アナログ信号源５は、複数の曲が零又は低信号レベルの期間で相互に分離されている複数の曲信号即ち主情報ブロックを順次に送出する。
【００１６】
アナログ入力端子６に接続されたＡＤＣ２５はアナログ信号をディジタル信号に変換するものである。
【００１７】
ＡＤＣ２５に接続された記録回路２６は、周知の時間軸圧縮手段、ＥＦＭ変調手段、エラー訂正符号付加手段、曲番号即ちトラック番号を周知のサブコード領域に付加する手段、記録再生用レーザ光源の発光制御手段等を有する。周知のように発光制御手段は、記録信号即ち記録パルスに応答して光学ヘッド２２のレーザ光源を制御し、ディスク２０に記録を形成する。
【００１８】
光学ヘッド２２に接続された再生回路２７は、周知の復調手段、及び時間軸伸長手段等を有し、リードデータを形成する。
【００１９】
再生回路２７に接続されたＤＡＣ２８は、リードデータをアナログ信号に変換して出力端子８に送るものである。なお、再生回路２７はディジタル出力端子９も有する。
【００２０】
コントローラ２４はマイコン即ちマイクロプロセッサから成り、記録再生機１の各部を制御する。この実施形態では、図１に示した記録開始指令入力端子１１、記録停止指令入力端子１２、頭出しデータ入力端子１３がコントローラ２４に設けられている。なお、個別の入力端子１１、１２、１３を設ける代りに、シリアル伝送路を設け、時分割で各種のデータを伝送することができる。
コントローラ２に信号レベルを通知するための出力端子１０は、アナログ入力端子１０に接続されている。なお、入力信号のレベルをディジタル信号の状態で判定することもできる。この場合には、ＡＤＣ２５の出力をコントローラ２に送る。
【００２１】
図１の制御手段としてのコントローラ２は、伝送路３０によって操作装置３に有線又は無線で結合され、伝送路３１、３２、３３、３４によって記録再生機１に有線又は無線で結合され、伝送路３５によって表示器４に有線又は無線で結合されている。このコントローラ２は、ＣＰＵ（中央処理装置）３６、プログラムが格納されたＲＯＭ（リード・オンリー・メモリ）３７、ＲＡＭ（ランダム・アクセス・メモリ）３３等を含み、次の機能を有する。
（１）  記録入力信号のレベルが所定レベルよりも低いか否かを判定するレベル判定機能。
（２）  上記（２）のレベル判定において、入力信号が所定レベルよりも低いことを示す判定結果が所定時間よりも長く継続しているか否かを判定する継続判定機能。
（３）  継続判定の出力を所定期間のみ有効にするために必要な有効期間即ち監視期間を設定する機能。
（４）  上記（３）で設定された有効期間即ち監視期間に得られた上記（２）の継続判定を抽出し、頭出しデータを記録媒体ディスク２０に記録する機能。
（５）  表示器４で表示するための表示信号を形成する機能。
【００２２】
図３は図１のコントローラ２を等価的又は機能的に示すものである。このコントローラ２は、入力信号レベル判定回路４０と、継続判定回路４１と、有効期間設定手段４２と、有効判定結果抽出用ＡＮＤゲート４３と、頭出しデータ発生手段４４と、記録開始指令発生手段４５と、記録停止指令発生手段４６と、表示信号発生器４７とを有する。
【００２３】
入力信号レベル判定回路４０は、比較器４８と基準電圧源４９とから成る。比較器４８の一方の入力端子は伝送路３４によって図１の記録再生機１の出力端子１０に接続され、この他方の入力端子は基準電圧源４９に接続されている。基準電圧源４９は、図６（Ａ）に示す入力信号Ｖinの最大振幅値と最小振幅値との間のレベルに相当する基準電圧Ｖr を発生する。なお、この基準電圧Ｖr は入力信号Ｖinの最大振幅値と最小振幅値との中間値よりも低い値であり、且つ最小振幅値よりも僅かに高い値、好ましくは１〜２０％高い値、を有することが望ましい。また、図６では入力信号Ｖinを極めて概略的に示しているが、実際には更に多くのレベル変化を伴なっている。比較器４８は、入力信号Ｖinと基準電圧Ｖr とを比較し、図６（Ｂ）に示すように、入力信号Ｖn が基準電圧Ｖr よりも低い期間に第１の電圧レベル即ち論理の０の出力を発生し、入力信号Ｖinが基準電圧Ｖr よりも高い期間に第２の電圧即ち論理の１の出力を発生する。
【００２４】
継続判定回路４１は、タイマ５０とＮＯＲゲート５１とから成る。タイマ５０は比較器４８の出力端子に接続され、図６（Ｂ）の比較器４８の出力パルスの高レベルから低レベルへの転換に同期して所定時間Ｔ1 を計測し、図６（Ｃ）に示すパルスを発生する。ＮＯＲゲート５１の一方の入力端子は比較器４８に接続され、この他方の入力端子はタイマ５０に接続されている。従って、ＮＯＲゲート５１は、図６（Ｂ）の比較器４８の出力と図７（Ｃ）のタイマ５０の出力との両方が低レベルになった時に図６（Ｄ）のｔ2 〜ｔ3 及びｔ6 〜ｔ7 に示す高レベルのパルスを発生する。このＮＯＲゲート５１の高レベル出力は、比較器４８の出力の低レベル期間が所定時間Ｔ1 よりも長く継続していることを示す。図６においてｔ0 〜ｔ5 は１曲目を示す期間であり、ｔ7 時点よりも後は２曲目を示す。もし、曲中のｔ1 〜ｔ3 に示すような入力信号Ｖinの低レベル期間が無ければ、図６（Ｄ）に示すＮＯＲゲート５１の出力を曲間検出信号として使用することができる。このため、従来の典型的な曲間検出回路は、レベル判定回路４０と継続判定回路４１とで構成されていた。しかし、曲中に比較的長い低レベル期間を含むものがあれば、曲間検出のエラーが発生する。そこで、本実施形態では、有効期間設定手段４２及びＡＮＤゲート４３を設け、ＮＯＲゲート５１の出力を有効期間のみ抽出する。
なお、入力信号レベル判定回路４０と継続判定回路４１とが本発明のレベル判定手段として機能している。
【００２５】
有効期間設定手段４２は、監視データメモリ５２と、曲カウンタ５３と、第１の比較手段５４と、監視カウンタ５５と、第２の比較手段５６とから成り、図６のｔ0 〜ｔ4 までの曲予想時間Ｔa と、ｔ4 〜ｔ7 の監視時間Ｔ2 とを設定する。
【００２６】
ＲＡＭ３８の一部から成る監視データメモリ５２は伝送路３０によって図１の操作装置３に結合され、操作装置３からの指令に従って曲時間Ｔa と曲間検出の監視時間Ｔ2 を記憶するものである。図４は監視データメモリ５２のデータを等価的に示すテーブルである。メモリ５２には曲番号と、曲番号で指定された曲の演奏又は再生時間Ｔa と曲間検出を監視するための監視時間Ｔ2 とが格納されている。図４の例では、第１曲目の曲時間Ｔa が４分３０秒、監視時間Ｔ2 が１０秒であり、第２曲目の曲時間Ｔa が５分１５秒、監視時間Ｔ2 が１０秒である。メモリ５２の曲時間Ｔa は、実際の曲時間よりも少し短く設定するのが望ましい。また、監視時間は実際の曲間の長さよりも少し長く設定することが望ましい。設定曲時間Ｔa の後に配置される監視期間Ｔ2 は、実際の曲間ｔ5 〜ｔ7 の少なくとも一部を含み、且つ継続判定用タイマ５０で計測する所定時間Ｔ1 よりも長い時間幅を有するように決定される。好ましくは、図６の監視期間Ｔ2 の開始時点ｔ4 は、第１曲目のｔ0 〜ｔ5 の全時間長の７５％の時点から１００％の時点の範囲に設定され、監視期間Ｔ2 の終了時点ｔ8 は、第２曲の頭時点ｔ7 から第２曲の全時間長の２５％の時点の範囲に設定される。
【００２７】
メモリ４３に対する監視データの格納は操作装置のキー操作によって実行される。操作装置３はテンキー６１、記録（ＲＥＣ）キー６２、停止（ＳＴＯＰ）キー６３、プラス（＋）キー６４、マイナス（−）キー６５、曲時間（Song Time ）設定キー６６、監視時間（Watch Time）設定キー６７を有する。各キー６１〜６７は周知のスイッチを含み、スイッチのオン・オフによって指令を発生する。
【００２８】
曲時間Ｔa のメモリ５２に対する格納時には、まず、アナログ信号源５における曲の再生所要時間をレコードジャケット又はパンフレット等のレコード資料から調べる。もし、レコード資料がない時には、アナログ信号源５において、曲時間Ｔa の決定のための準備再生又は演奏即ちリハーサル再生又は演奏を行って曲時間を測定し、この測定時間よりも少し短い時間を監視用の曲時間Ｔa とする。曲時間Ｔa のデータが用意されたら、曲時間キー６６を操作して、曲時間格納のプログラムの動作を開始させる。曲時間Ｔa 及び監視時間Ｔ2 の設定時にはメモリ５２の内容を表示するための信号が表示信号発生器４７で作成され、図４と同様な表示が表示器４上に得られる。従って、操作者は、表示器４を見ながらテンキー６１で曲時間Ｔa をメモリ５２に格納するか、又はプラス（＋）キー６４とマイナス（−）キー６５を使用して曲時間をメモリ５２に格納する。プラスキー６４とマイナスキー６５とを使用して曲時間を設定する時には、プラスキー６４を押す毎にコントローラ２に含まれている入力カウンタ（図示せず）がプラスカウントし、マイナスキー６５を押すと、入力カウンタがマイナスカウントする。なお、曲時間キー６６の１回目の操作によってメモリ５２の曲時間データがクリアされ、新しい曲時間がメモリ５２に格納可能になる。曲時間Ｔa のデータを入力した後に再び曲時間キー６６を押すと、曲時間Ｔa のデータのメモリ５２に対する格納が確定する。第２曲及びその後の曲の曲時間データのメモリ５２に対する格納も第１曲と同様に行う。
【００２９】
監視時間Ｔ2 をメモリ５２に格納する時には、監視時間キー６７を操作する。これにより、今迄の監視時間データがメモリ５２からクリアされ、新しいデータの格納が可能になる。次に、テンキー６１、又はプラスキー６４とマイナスキー６５との組み合せによって所望の監視時間Ｔ2 をメモリ５２又は入力カウンタ（図示せず）に入力させる。入力した監視時間Ｔ2 が所望値であるか否かを表示器４で確認し、正しければ監視時間キー６７を再び操作する。これにより、監視時間Ｔ2 のメモリ５２に対する格納が確定する。
【００３０】
図３の有効期間設定手段４２に含まれている曲カウンタ５３は、記録キー６２の操作に基づいて発生した記録開始指令、及びＡＮＤゲート４３から得られる頭出しポイントに応答してアナログ信号源５における曲の再生経過時間即ち記録再生機１に対する曲入力信号の経過時間を計測するものである。
【００３１】
第１の比較手段５４は曲カウンタ５３と監視データメモリ５２とに接続され、曲カンタ５３から得られる曲の経過時間とメモリ５２の監視用の曲時間Ｔa とを比較し、両者が一致した時に監視カウンタ５５をリセットし、同時に監視カウンタ５５による時間計測を開始させる。従って、第１の比較手段５４は図６のｔ4 時点を決定するために使用されている。監視カウンタ５５は所定の監視時間Ｔ2 を計測している間は図６（Ｅ）のｔ4 〜ｔ8 に示す高レベル出力を発生し、これをＡＮＤゲート４３に送る。
第２の比較手段５６は、監視カウンタ５５の出力とメモリ５２に格納されている監視時間Ｔa とを比較し、両入力が一致した時に監視カウンタ５５をリセットし、同時に頭出しデータ発生手段４４に頭出しデータ発生指令を与える。監視カウンタ５５で決定される監視期間ｔ4 〜ｔ7 は、曲カウンタ５３で決定された所定の曲時間Ｔa 即ちｔ0 〜ｔ4 の後に配置されている。従って、監視カウンタ５５の出力は、監視期間ｔ4 〜ｔ7 の長さの情報の他に、監視期間ｔ4 〜ｔ7 を配置する時間軸上の位置の情報を含む。
【００３２】
ＡＮＤゲート４３の一方の入力端子はＮＯＲゲート５１に接続され、この他方の入力端子は監視カウンタ５５に接続されているので、図６（Ｄ）のＮＯＲゲート５１の出力と図６（Ｅ）の監視カウンタ５５の出力との両方が同時に高レベルの期間に図６（Ｆ）に示すようにＡＮＤゲート４３の出力は高レベルになる。従って、監視カウンタ５５の出力は、ＮＯＲゲート５１の出力の有効期間の決定に使用されている。図６（Ｄ）に示すようにＮＯＲゲート５１からはｔ2 〜ｔ3 期間にも高レベルの継続判定結果が得られているが、ｔ2 〜ｔ3 は監視カウンタ５５で設定された有効期間に含まれていないので、ｔ2 〜ｔ3 のＮＯＲゲート５１の出力はＡＮＤゲート４３で抽出されない。ＡＮＤゲート４３の高レベル出力の終了時点ｔ7 は曲間の終り即ち次の曲の頭出しポイントを示している。このＡＮＤゲート４３の曲の頭出し情報を含む出力は、頭出しデータ発生手段４４に送られ、且つ曲カウンタ５３及び監視カウンタ５５にも送られる。曲カウンタ５３はＡＮＤゲート４３の出力の高レベルから低レベルへの転換に同期してリセットされ、次の曲の経過時間の計測を開始する。なお、監視カウンタ５５は、ＡＮＤゲート４３の出力でリセットされても直ちにカウントを再開しないように構成されている。
【００３３】
頭出しデータ発生手段４４はＡＮＤゲート４３の出力に応答して頭出しデータを作成し、これを伝送路３３によって図２の入力端子１３に送る。記録再生機１の入力端子１３の頭出しデータは記録回路２６に送られ、主記録データと共にディスク２０に記録される。この実施形態では、頭出しデータ発生手段４４が曲番号（トラック番号）を頭出しデータとして発生する。即ち、ＡＮＤゲート４３の出力の高レベルから低レベルへの転換に同期して曲番号をインクリメントし、新しい曲番号を発生する。
【００３４】
ディスク２０の信号フォーマットは周知のようにフレーム単位でデータを記録再生するように構成されている。図５はディスク２０の信号フォーマットを概略的に示す。フレームは同期信号領域６１、サブコード領域６２、及びデータ及びパリティ領域６２から成る。頭出しデータとしての曲番号はサブコード領域６２に記録される。従って、図２の記録回路２６は、図５のサブコード領域６２に頭出しデータとしての曲番号（トラック番号）を配置する機能を有する。
【００３５】
次に、図７及び図８を参照して記録動作を説明する。記録キー６２をオン操作すると、図７のステップＳ1 にて記録のプログラムがスタートし、ステップＳ2 で記録キー６２が押されたか否かが判定される。ステップＳ2 で記録キー６２が押されたことが判定されると、次のステップＳ3 に示すように記録開始指令発生手段４５から記録開始指令が発生する。これにより、記録再生機１が記録状態となり、入力信号Ｖinの記録を開始する。
【００３６】
次に、ステップＳ4 で曲カウンタ５３が記録開始指令に応答してリセットされ、続いてカウントを開始する。次に、ステップＳ5 において、曲カウンタ５３のカウント値が監視データメモリ５２の曲時間Ｔa になったか否かが比較手段５４で判定される。もし、曲カウンタ５３のカウント値が所定の曲時間Ｔa に一致したことを示すＹＥＳの出力が得られたら、図８に示す動作が生じる。また、曲カウンタ５３のカウント値が曲時間Ｔa になる前に停止（ＳＴＯＰ）キー６３が押されたか否かの判定がステップＳ6 で実行される。もし、停止キー６３が押された場合は、図８のステップＳ12に示すように記録停止指令を記録停止指令発生手段４６から発生させ、ステップＳ13に示すように記録再生機１による入力信号Ｖinの記録を終了させる。
【００３７】
ステップＳ5 でＹＥＳの出力が得られた時には、図８のステップＳ7 で監視カウンタ５５がリセットされ、続いてカウントを開始し、次のステップＳ8 で頭出しポイントに来たか否かが判定される。即ち、図３の等価回路では、監視カウンタ５５がカウント動作している間は図６（Ｅ）の高レベルパルスを発生し、これがＡＮＤゲート４３に与えられ、ＮＯＲゲート５１の出力を抽出する。このため、ＮＯＲゲート５１の出力は監視カウンタ５５の出力が高レベルの期間のみ有効になり、これ以外の期間のＮＯＲゲート５１の出力は無効とされる。監視カウンタ５５が所定の監視時間Ｔ2 をカウントしている間の図６のｔ7 時点で頭出しポイントが検出された時には、ステップＳ9 においてｔ7 時点で頭出しデータを発生させる。即ち、図３の頭出しデータ発生手段４４は図６（Ｆ）のＡＮＤゲート４３の出力パルスの後縁時点ｔ7 に同期して曲番号カウンタをインクリメントし、新しい曲番号（トラック番号）を伝送路３３を介して図２の記録回路２６に送り、曲信号と共に曲番号を記録する。
なお、この実施形態では、ステップＳ9 においてＡＮＤゲート４３の出力パルスの後縁時点ｔ7 で監視カウンタ５５がリセされる。従って、メモリ５２に格納されている所定の監視時間Ｔ2 の終了よりも前に監視期間が終了する。
【００３８】
ステップＳ10は、監視時間Ｔ2 内に頭出しポイントの検出が何らかの理由で不可能であった場合を考慮して設けられている。このステップＳ10は、ステップＳ8 の出力がＮＯの状態において、監視カウンタ５５の出力がメモリ５２の監視時間Ｔ2 に一致したか否かを判定する。即ち、比較手段５６によって、監視カウンタ５５の出力と監視データメモリ５２の監視時間Ｔ2 とを比較し、両者が一致したか否かを判定する。もし、ステップＳ10で一致を示すＹＥＳの出力が得られたら、監視カウンタ５５をリセットすると共に、一致を示す信号を頭出しデータ発生手段４４に送り、ステップＳ9 において頭出しデータを発生させる。図６（Ｅ）に示すように所定の監視時間Ｔ2 の終了時点ｔ8 は、曲の実際の頭出しポイントｔ7 よりも後になる。しかし、監視時間Ｔ2 の終了時点を実際の頭出しポイントｔ7 よりも少し後に設定しておけば、ｔ7 時点を頭出しポイントとして使用してもさほど問題がない。なお、ステップＳ10において、監視カウンタ５５の出力が監視時間Ｔa に一致していないことを示している時に、ステップＳ11で停止キーを操作すると、記録を停止させることができる。
【００３９】
本実施形態は次の効果を有する。
（１）  頭出しポイントの検出が監視時間Ｔ2 によって制限されているので、誤まった頭出しポイントの検出を防ぐことができる。
（２）頭出しポイントの検出が不可能であっても、監視時間Ｔ2 の終了に同期して頭出しデータが発生するので、頭出しデータの欠落を防ぐことができる。この監視時間Ｔ2 の終了に同期した頭出しデータは時間的に正確でないが、頭出しデータとして十分な利用価値を有する。また、曲間で信号レベルが所定時間Ｔ1 以上低下しないソースの場合でも頭出しデータの記録が可能になる。
【００４０】
【変形例】
本発明は上述の実施形態に限定されるものではなく、例えば次の変形が可能なものである。
（１）  曲間において信号レベルが基準レベルＶr よりも低い期間が所定時間Ｔ1 以上必ず存在する時には、監視時間Ｔ2 の終了に同期して頭出しデータを発生する手段を省くことができる。
（２）  ＡＮＤゲート４３の代りに、監視カウンタ５５が時間Ｔ2をカウントしていない期間に入力信号レベル判定回路４０又は継続判定回路４１の電源をオフにする等の方法によって判定手段を非動作状態即ち無効状態とすることができる。
（３）  記録再生機１にディジタル信号の曲が入力する場合にも本発明を適用することができる。この場合には、ディジタル比較手段によって入力ディジタル信号のレベルがディジタルの基準値よりも低くなるか否かを判定するか、又はディジタル入力信号をアナログ信号に変換して図３の判定回路４０に入力させる。（４）  コントローラ２、操作装置３及び表示器４から選択された一部又は全部を記録再生機１と一体に構成することができる。
（５）  コントローラ２の大部分はＩＣ化されたディジタル回路で構成されているが、図３に等価的に示す回路に従う個別回路で形成することができる。
（６）  記録再生機１を、ＣＤ−Ｒで構成する代りに、周知のＭＤ装置、ＤＶＤ装置、磁気ディスク装置、磁気テープ装置等で構成することができる。
（７）  曲以外の効果音等の別のアナログ信号の情報ブロックの記録にも本発明を適用できる。
【図面の簡単な説明】
【図１】本発明の実施形態に従う記録再生装置を示すブロック図である。
【図２】図１の記録再生機を概略的に示すブロック図である。
【図３】図１のコントローラを等価的に示す回路図である。
【図４】図３の監視データメモリの内容を示す図である。
【図５】図２の記録媒体ディスクのための信号フォーマットを概略的に示す図である。
【図６】図３の各部の状態を示す波形図である。
【図７】記録動作の流れを示す図である。
【図８】図７に続く動作の流れを示す図である。
【符号の説明】
１    記録再生機
２    コントローラ
３    操作装置
４０  入力信号レベル判定回路
４１  継続判定回路
４２  有効期間設定手段
５２  監視データメモリ
５３  曲カウンタ
５５  監視カウンタ
【図１】
0003758032.tif 000002
【図２】
0003758032.tif 000003
【図３】
0003758032.tif 000004
【図４】
0003758032.tif 000005
【図５】
0003758032.tif 000006
【図６】
0003758032.tif 000007
【図７】
0003758032.tif 000008
【図８】
0003758032.tif 000009